(57)【要約】【課題】必要とする外部電力スイッチおよび外部コンポーネント数を節約できる、多機能ゲート付き高電圧ゲートドライバ集積回路を提供する。【解決手段】第１出力電圧信号を供給可能な第１ドライバ回路と、第２出力電圧信号を供給可能な第２ドライバ回路と、第１出力電圧信号とは異なる特性を備える、処理済出力電圧信号を供給するべく、第２出力電圧信号を処理可能な内部回路と、第１出力電圧信号と処理済出力電圧信号のうちのいずれか1つを、ゲートドライブ信号として選択可能な選択回路とを備え、ゲートドライブ信号を外部電力スイッチのゲートに供給して外部電力スイッチをオンオフするべく、選択回路に接続される外部電力スイッチを更に備える高電圧ゲートドライバ集積回路を提供する。【選択図】    図２
2008061252.tif 000002
【特許請求の範囲】
【請求項１】
第１出力電圧信号を供給可能な第１ドライバ回路と、第２出力電圧信号を供給可能な第２ドライバ回路と、第１出力電圧信号とは異なる特性を備える、処理済出力電圧信号を供給するべく、第２出力電圧信号を処理可能な内部回路と、第１出力電圧信号と処理済出力電圧信号のうちのいずれか１つを、ゲートドライブ信号として選択可能な選択回路とを備える高電圧ゲートドライバ集積回路。
【請求項２】
ゲートドライブ信号を外部電力スイッチのゲートに供給して、外部電力スイッチをオンオフするべく、選択回路に接続される外部電力スイッチを更に備える請求項１記載の高電圧ゲートドライバ集積回路。
【請求項３】
第１ドライバ回路が、第１入力信号に基づき第１制御信号を供給可能な第１バッファ増幅器増幅器と、第１高圧側スイッチと、第１低圧側スイッチに直列に接続された、第1接点とを備え、前記第１高圧側スイッチと第１低圧側スイッチが、第１制御信号に基づいて制御され、第１高圧側スイッチと第１低圧側スイッチが第２出力電圧信号を供給する請求項２記載の高電圧ゲートドライバ集積回路。
【請求項４】
第２ドライバ回路が、第２入力信号に基づき第２制御信号を供給可能な第２バッファ増幅器増幅器と、第２高圧側スイッチと、第２低圧側スイッチに直列に接続された、第２接点とを備え、前記第２高圧側スイッチと第２低圧側スイッチが、第２制御信号に基づいて制御され、第２高圧側スイッチと第２低圧側スイッチが第２出力電圧信号を供給する請求項３記載の高電圧ゲートドライバ集積回路。
【請求項５】
選択回路が、第１入力信号と第２入力信号のうちの少なくとも一つに基づいてゲートドライブ信号としての第１出力電圧信号と処理済出力電圧信号のうちのいずれか１つを選択する、請求項４記載の高電圧ゲートドライバ集積回路。
【請求項６】
内部回路が、第２出力電圧信号へフィードバック制御を導入し処理済出力電圧信号を供給する、請求項５記載の高電圧ゲートドライバ集積回路。
【請求項７】
選択回路が、処理済出力電圧信号を選択可能で、電力スイッチのゲートへ処理済出力電圧信号を供給しドライバ回路のｄｖ／ｄｔを制御する、請求項６記載の高電圧ゲートドライバ集積回路。
【請求項８】
内部電力スイッチが、オンオフを切り変える、プラズマディスプレイのための走査電圧を制御する、請求項７記載の高電圧ゲートドライバ集積回路。
【請求項９】
第１ドライバ回路、第２ドライバ回路、内部回路、および選択回路が１つの集積回路に内蔵される、請求項８記載の高電圧ゲートドライバ集積回路。
【請求項１０】
第１ドライバ回路および第２ドライバ回路が、１つの集積回路内でアース接続ピンを共有する、請求項９記載の高電圧ゲートドライバ集積回路。
【発明の詳細な説明】
【技術分野】
【０００１】
本発明は、多ゲート機能付き高電圧ゲートドライバ集積回路に関する。
【０００２】
本発明は、特に、外部電力スイッチおよび他の外部コンポーネント数を減少する一方で多ゲート機能を供給するプラズマディスプレイ（ＰＤＰ）に使用される、ドライバ回路に関する。
【背景技術】
【０００３】
図１は、ＰＤＰに使用される、従来の高電圧ゲートドライバ集積回路１０を示している。プラズマディスプレイはセルのマトリックスを備え、各セルは、セルに電圧をかけることによりプラズマに変換されるガスを含有する。モノクロディスプレイでは、荷電粒子が、電離電圧をかけて使用される電極の一方に向かって流れるにつれて電離されるガス自体が光子を放出する。カラープラズマディスプレイでは、電離ガスによって放出される光子によって誘導されるとき、青色光を放出する表面の１つに蛍光体が被覆されている。図１の回路では、外部電力スイッチ１４ａ、１４ｂは、ＰＤＰへ供給される電圧を制御するために使用される。
【０００４】
特に、高電圧ゲートドライバ集積回路１０は、２つの独立したドライバ回路１２ａ、１２ｂとを備えている。これらのドライバ回路１２ａ、１２ｂは、スイッチＱ１ａ、Ｑ２ａおよびＱ１ｂ、Ｑ２ｂをそれぞれ制御するために使用され、電力スイッチ１４ａ、１４ｂのゲートを制御するために使用される出力電圧Ｖｏｕｔａ、Ｖｏｕｔｂを与える。各電力スイッチ１４ａ、１４ｂは、図１でＶscanとして示された電離電圧または走査電圧を供給するために使用される。外部回路１６は、付加機能を与えるために設けられるとよい。例えば、外部補助回路１６は、高電圧ゲートドライバ集積回路１０によりＰＤＰへ供給される電圧のｄｖ／ｄｔを制御するために使用されるとよい。従って、図１の高電圧ゲートドライバ集積回路は、多機能ゲートを供給するために、多チャンネルドライバ回路１２ａ、１２ｂ、外部補助回路１６および２つの外部電力スイッチ１４ａ、１４ｂを必要とする。結果として、このような従来のゲートドライバ集積回路は十分な空間を必要とし、高いコストがかかる。
【０００５】
従って、上述の問題点を回避する高電圧ゲートドライバ集積回路を提供することは有益である。
【発明の開示】
【発明が解決しようとする課題】
【０００６】
本発明の目的は、必要な外部コンポーネント数を減少させた多機能ゲート付き高電圧ドライバ回路を提供することにある。
【課題を解決するための手段】
【０００７】
本発明によれば、高電圧ゲートドライバ集積回路は、第１出力電圧信号を供給可能な第１ドライバ回路と、第２出力電圧信号を供給可能な第２ドライバ回路と、第１出力電圧信号とは異なる特性を備える、処理済出力電圧信号を供給するべく、第２出力電圧信号を処理可能な内部回路と、第１出力電圧信号と処理済出力電圧信号のうちのいずれか一つを、ゲートドライブ信号として選択可能な選択回路とを備える。高電圧ゲートドライバ集積回路は、外部電力スイッチをゲートドライブ信号を外部電力スイッチのゲートに供給して外部電力スイッチをオンオフするべく、選択回路に接続される外部電力スイッチを更に備える。
【０００８】
本発明の他の特徴および利益は、添付の図面に基づく以下の説明より明らかになる。
【発明を実施するための最良の形態】
【０００９】
本発明は、外部コンポーネント数を減少させる多機能ゲートを供給する高電圧ゲートドライバ集積回路に関する。結果として、高機能性を維持しつつ回路に必要とされる複雑性および空間の両者を減少させる。
【００１０】
本発明の一つの実施例による高電圧ゲートドライバ集積回路が図２に詳細に示されている。高電圧ゲートドライバ集積回路２０は、それぞれ第１出力電圧信号Ｖｏｕｔ１および第２出力電圧信号Ｖｏｕｔ２を供給可能な第１ドライバ回路２２および第２ドライバ回路２４を備えている。第１および第２ドライバ回路２２、２４は異なるゲート特性を供給することが好ましい。第１ドライバ回路２２には、矩形パルス入力信号２３が供給される。第１制御信号を、直列接続されたスイッチＱ１、Ｑ２の制御電極または制御端子に供給する第１バッファ増幅器３２を備えているとよい。第１出力電圧信号Ｖｏｕｔ１は、スイッチＱ１とＱ２の間にある接点Ａから、この２つのスイッチのオンオフ状態に基づいて供給される。従って、スイッチＱ１、Ｑ２は第１制御信号によって制御され、所望の第１出力電圧信号Ｖｏｕｔ１を供給する。
【００１１】
第２ドライバ回路２４は、入力信号２３1が供給される第２バッファ増幅器３４を備えている。第２バッファ増幅器３４は、第２制御信号を出力し、直列接続されたスイッチＱ３、Ｑ４を制御する。第２出力電圧信号Ｖｏｕｔ２は、スイッチＱ３とＱ４の間に位置する接点Ｂから供給され、この２つのオンオフ状態に基づいている。従って、スイッチＱ３、Ｑ４は、第２制御信号によって制御され、所望の第２出力電圧信号Ｖｏｕｔ２を供給する。あるいは、第２ドライバ回路２４は、入力信号２３を受信し、他方第１ドライバ回路２２は入力信号２３1を受信するか、または所望に応じてどちらのドライバ回路も入力として合成信号２３および２３1を受信するとよい。
【００１２】
第２ドライバ回路２４は、所望に応じて第２出力電圧信号Ｖｏｕｔ２の追加の処理のための内部回路３４を備えていてもよい。例えば、内部回路３４は、フィードバック制御を行うために使用されるとよい。結果として、外部電力スイッチ３６を介してＰＤＰに供給される電圧のｄｖ／ｄｔは、所望に応じてｄｖ／ｄｔを制限することによって制御されることが可能である。内部回路３４は、ｄｖ／ｄｔ制御用として使用され得るが、本発明は、本実施例に限定されず内部回路３４は他の付加機能を提供するために使用することも可能である。従って内部回路３４の出力は、第２ドライバ回路２４から最終的に出力され、処理済出力電圧信号Ｖｏｕｔ２1を供給する。従って内部回路３４は、処理済出力電圧信号Ｖｏｕｔ２1によって供給されるゲート特性が、第１出力電圧信号Ｖｏｕｔ１によって供給されるゲート特性とは異なることを確実にするために使用される。
【００１３】
ドライバ回路２０は、選択回路３８を備え、この選択回路３８には、第１ドライバ回路２２から第１出力電圧信号Ｖｏｕｔ１および第２ドライバ回路２４の内部回路３４から、処理済出力電圧信号Ｖｏｕｔ２1の両方が供給される。選択回路３８は、１つの外部電力スイッチ３６のゲートへ供給されるゲートドライブ信号として、第１出力電圧信号Ｖｏｕｔ１および処理済出力電圧信号Ｖｏｕｔ２1のうちのいずれか1つを選択可能である。ゲートドライブ信号は外部電力スイッチ３６のオンオフ状態を制御するので、ＰＤＰへ供給される電離電圧または走査電圧をも制御する。
【００１４】
従って本実施例の高電圧ゲートドライバ集積回路２０は、１つの外部電力スイッチ３６に多機能ゲートを供給する。結果として、他に外部電力スイッチを付加することを必要としない。図２に示されているように、好適実施例においては、第１および第２ドライバ回路２２、２４、内部回路３４、および選択回路３８は、１つの集積回路に内蔵されることが好ましい。従って、高電圧ゲートドライバ集積回路２０は、図１について上記に述べた、従来の高電圧ゲートドライバ集積回路１０において使用される外部補助回路１６を不要にする。更に、第１および第２ドライバ回路２２、２４は、１つのアース接続による１つのアース電圧を共有することが好ましい。更に、１つのゲートドライブ出力は、選択回路３８から外部電力スイッチ３６へ供給されるゲートドライブ信号用として供給することが可能である。
【００１５】
選択回路３８による選択は、第１および第２入力信号２３、２３1のうちの少なくとも１つの信号に基づくことが好ましい。あるいは、選択回路による選択は、好適な論理演算装置によって制御されてもよい。
【００１６】
従って本実施例の高電圧ゲートドライバ集積回路２０は、必要とする外部コンポーネント数を節約しつつ、異なるゲート特性を備える第１および第２ドライバ回路２２，２４を使用する多機能ゲートを供給する。結果として、本実施例の高電圧ゲートドライバ集積回路２０は、多機能ゲートを実施するのに必要な空間を減少させかつコンポーネント数を減少させるのでコストをも節約する。
【００１７】
本発明は、実施例に基づき説明してきたが、特許請求を逸脱しない限り、当該者により、他の変形例も可能である。本発明は、明細書における実施例に限定されるものではない。
【図面の簡単な説明】
【００１８】
【図１】多機能ゲートを供給する従来の高電圧ゲートドライバ集積回路の概略図である。
【図２】本発明による高電圧ゲートドライバ集積回路の１実施形態の概略図である。
【符号の説明】
【００１９】
１０、２０：高電圧ゲートドライバ集積回路
１２ａ、１２ｂ、２２、２４：ドライバ回路
１４ａ、１４ｂ：電力スイッチ
１６：外部補助回路
２３、２３1：入力信号
３２、３４：バッファ増幅器
３４：内部回路
３６：外部電力スイッチ
３８：選択回路
Ａ、Ｂ：接点
Ｑ１、Ｑ２、Ｑ３、Ｑ４：スイッチ
Ｑ１ａ、Ｑ２ａ、Ｑ１ｂ、Ｑ２ｂ：スイッチ
Ｖｏｕｔ１、Ｖｏｕｔ２：出力電圧信号
Ｖｏｕｔ２1：処理済出力電圧信号
Ｖｏｕｔａ、Ｖｏｕｔｂ：出力電圧信号
【図１】
2008061252.tif 000003
【図２】
2008061252.tif 000004
【手続補正書】
【提出日】平成20年1月17日(2008.1.17)
【手続補正１】
【補正対象書類名】図面
【補正対象項目名】全図
【補正方法】変更
【補正の内容】
【図１】
2008061252.tif 000005
【図２】
2008061252.tif 000006
【外国語明細書】
2008061252000001.pdf